(57)【要約】  本発明は、一対の翼（１１）および注射機構（３）を収納する先端（１２）を有する中空シリンダー（１）、ピストン（２）、ならびに針（３１）、ばね（３２）および膜（３３）を有する注射機構（３）を含む安全注射器に関する。ピストン（２）はそれの下部に鋸歯状冠（２１）を有しており、そこにはチャンバーシール（２２）があり、針（３１）の内側先端部によってのみ破られる。ピストン（２）の端部は、シリンダー（１）の内部にてピストン（２）を安定させる下側円板（２４）および上側円板（２５）を有する。シリンダー（１）の周囲には、注射事故に備えた保護漏斗（１３）がある。ピストンは空のチャンバーの気密性を確保する蓋（２６）を含む。【選択図】図１
2014500101.tif 000002
【特許請求の範囲】
【請求項１】
注射剤の保管体として機能する中空シリンダー（１）、ここで、前記中空シリンダー（１）は、上部の一対の翼（１１）、延長部（１４）、および注射機構（３）が収納される先端（１２）を有しており、前記延長部（１４）において、ピストン（２）は固定されて前記シリンダー（１）内を完全に貫き、前記シリンダー（１）の前記先端はあらゆる標準針に適合するように設計されており、
前記注入剤を外側に向けて引きずり出し、密閉性を確保しながら、前記シリンダー（１）の内部を滑動するピストン（２）、
標準針（３１）、ばね（３２）、および膜（３３）を有する注射機構（３）、を含む医療防疫用自動使い捨て注射器であって、
前記ピストン（２）は、その下部に鋸歯状冠（２１）を有しており、前記鋸歯状冠（２１）は前記膜（３３）を押し破ることによって前記機構を作動させることが可能であり、かつ前記針（３１）の内側先端部によってのみ破られるチャンバーシール（２２）があり、それは前記機構の作動をもたらし、かつ前記注射剤が受入れチャンバー（２３）に進入することを阻止し、前記ピストン（２）の端部は、前記注入剤を引きずり出し、前記シリンダー（１）の底に嵌め込まれる下側円板（２４）、および前記シリンダー（１）の内側で前記ピストン（２）を安定させ、かつ前記延長部において固定される上側円板（２５）を有することを特徴とする医療防疫用自動使い捨て注射器。
【請求項２】
請求項１に記載の医療防疫用自動使い捨て注射器であって、前記シリンダー（１）の前記先端の周囲には、注射事故に備えた保護漏斗（１３）があり、前記保護漏斗（１３）は市販のあらゆる注射器に適合するように設計されたフード、および前記針の本体が最終的に圧力で固定される保護体から成ることを特徴とする医療防疫用自動使い捨て注射器。
【請求項３】
請求項２に記載の医療防疫用自動使い捨て注射器であって、前記保護漏斗（１３）は、プラスチック材料、水溶性プラスチック、ラテックス、ゴムで生産可能であり、前記材料は単体または組み合わせであることを特徴とする医療防疫用自動使い捨て注射器。
【請求項４】
請求項１から請求項３のうちいずれか一項に記載の医療防疫用自動使い捨て注射器であって、前記ピストン（２）は空の前記チャンバーの気密性を確保する蓋（２６）を有することを特徴とする医療防疫用自動使い捨て注射器。
【請求項５】
請求項１から請求項４のうちいずれか一項に記載の医療防疫用自動使い捨て注射器であって、前記膜（３３）は、任意に作動される半自動機構に対してプラスチック材料で作成されることを特徴とする医療防疫用自動使い捨て注射器。
【請求項６】
請求項１から請求項４のうちいずれか一項に記載の医療防疫用自動使い捨て注射器であって、前記膜（３３）は、意図せずに作動される自動機構に対して医薬用ゼラチンで作成されて、前記注入剤が使用されることを特徴とする医療防疫用自動使い捨て注射器。
【請求項７】
請求項１から請求項４のうちいずれか一項に記載の医療防疫用自動使い捨て注射器であって、前記安全膜（３３）は、水溶性プラスチックで作成されて、一旦前記注入剤が使用されると、意図せず自動機構が作動することを特徴とする医療防疫用自動使い捨て注射器。
【発明の詳細な説明】
【技術分野】
【０００１】
説明
医療防疫用自動使い捨て注射器
【０００２】
発明の目的
本発明は、一時的使用者、医療職員、患者、および全体の環境のために、安全な注射システムを得ること、および針をフードに導入するときの感染を阻止することを可能とする安全注射器、さらに従来技術に対抗する新規の機構を作動させるシステムから成る。
【背景技術】
【０００３】
現在、医療センターで使用されている安全ではないと考えられる注射器または針がある。なぜなら、それらは医療職員および保健衛生職員が血液媒介性疾患の感染にさらされることを阻止するいかなる保護システムも有していないからであり、それは望ましくない注射の原因となり得る。それ故、鋭利な物によって引き起こされる医療職員の事故は、大部分が病院および診療所において頻繁に起こっており、Ｂ型およびＣ型肝炎またはＨＩＶなどの重大な感染症となれば、極めて憂慮される事例となる。
【０００４】
さらに、患者を治療しているときの注射によって被る高い危険性は、感染症に感染する可能性を考慮すると、医療職員に個人的ストレスを生じさせる。ウイルスに感染した液体による注射事故は、感染したかどうかが判断されるまで、医療休暇、患者の一時的な身体障害、さらには精神病の原因となり得、それに加えて施設における大きな経済的および法律上の負担の原因となり得る。
【０００５】
したがって、全てのこれらの医療センターおよび一般住民のために、防疫材料を作成および実施する必要がある。
【発明の概要】
【課題を解決するための手段】
【０００６】
本発明は安全性の高い注射器から成るものを提案し、それは注射剤の保管体として機能し、かつ操作者による取り扱いを容易にするシリンダー、注射剤を外側に向けて引きずり出し、完全な密閉性を確保しながら、シリンダーの内部に搭載されてその内部を滑動するピストン、ならびに、針、ばね、および膜から成る機構、さらに保護漏斗を含む。
【０００７】
したがって、シリンダーはその内部においてピストンの移動の基礎を提供している。シリンダーの主要な機能は、注射剤のための保有体として機能すること、および取り扱いを補助することである。前記シリンダーは、針機構、ばね、および膜が収納される先端を含む。シリンダーの先端はルアーハブであり、あらゆる一般的な針が連結可能であるため、本設計は従来の使い捨て注射器として使用可能である。上部付近において、シリンダーは一対の翼を有しており、それは操作者のための支持を構成し、かつ操作者の手の中でシリンダーを安定化させることを可能とする。
【０００８】
ピストンは、注射剤を外側に向けて引きずり出し、かつ完全な密閉性を確保しながら、シリンダー内を滑動する。ピストンの重要点の１つに、それの鋭利な冠があり、鋭利な冠は膜を破ることが可能であるため、任意に機構を作動し得る。一旦針機構が作動されると、鋭利な冠は受入れチャンバー内に収納される。シールチャンバーは薄膜でピストンの下部を封鎖し、薄膜は注射剤を受入れチャンバーに進入させない。薄膜は針の内側先端部によってのみ破れ、機構の作動をもたらす。安全下側円板は、注射剤と直接接触してそれを引きずり、一旦進路の端に到達するとシリンダーの底に嵌め込まれる。そのため、ピストンを再度引っ張り出すことを回避し得、他のさらなる安全対策となる。安全上側円板は、シリンダー内部でピストンを安定させて、シリンダーの底へ押されると延長部において固定され、下側円板に寄与する。頂部の蓋は空のチャンバーの気密性を確保する。
【０００９】
上述した機構は、標準の皮下注射針と類似しているが、着色プラスチックバレルを有さない針を含む。針はプラスチック製の膜に差し込まれている。また、機構はばねを有し、その機能は圧縮されて膜と共に針の荷重に耐え、一旦機構が作動されると、ばねのエネルギーを放出する。膜は、任意に作動される半自動機構の場合にはプラスチックで作成され、または、膜は、完全自動機構の場合には医薬用ゼラチンまたは水溶性プラスチックで作成される。
【００１０】
本発明の注射器は、シリンダーの下部および先端の周辺に配置される保護漏斗を有しているため、医療職員の注射事故を防ぎ得る。保護漏斗はフードを含み、それは針を保護体内に維持し、フードの内部をあらゆるルアーハブに適合する適切な設計とすることで、注射事故に対する防御の一部となっている。また、保護漏斗は保護体を有し、そこで針の本体はルアーの普遍的システムを介して最終的に圧力で固定される。
【００１１】
行われた説明を完結するため、かつ本発明の特徴のより良い理解を援助するために、その実用的な実施形態の好ましい実施例に従って、一連の図面は例示的な特徴を有し、かつ制限されることなく、前記説明の不可欠な要素として添付されて、以下のように表される。
【図面の簡単な説明】
【００１２】
【図１】図１は、本発明の注射器組立体における断面図を示している。
【図２】図２は、本発明の注射器におけるピストン（２）の図を示している。
【図３】図３は、注射機構（３）、およびその部品である、膜（３３）、針（３１）、およびばね（３２）の配置の図を示している。
【図４】図４は、本発明の注射器におけるシリンダー（１）の図を示している。
【図５】図５は、ピストン（２）の下部における詳細図を示しており、チャンバーシール（２２）の配置を観察することが可能である。
【図６】図６は、本発明の注射器組立体における下部の詳細図を示している。
【発明を実施するための形態】
【００１３】
本発明は、シリンダー（１）、前記シリンダー（１）の内部を滑動するピストン（２）、および注射機構（３）、さらに保護漏斗（１３）を含む安全注射器から成る。
【００１４】
中空シリンダー（１）は、注射剤の保管体として機能し、上部に一対の翼（１１）を有する。これらの翼（１１）の上方には、延長部（１４）があり、そこはピストン（２）が固定される領域であり、前記ピストン（２）がシリンダー（１）内を完全に貫くことを可能とする。下部において、シリンダー（１）は先端（１２）を有しており、そこに注射機構（３）が収納される。前記シリンダー（１）の先端はあらゆる標準のルアー型針に適合するように設計されている。前記シリンダー（１）の特殊性は、下部の注射機構（３）を取り囲む、注射事故に備えた保護漏斗（１３）を有していることにある。保護漏斗（１３）は市販のあらゆる注射器に適合するよう設計されたフード、および針の本体が最終的に圧力で固定される保護体から成る。
【００１５】
保護漏斗（１３）は、プラスチック、水溶性プラスチック、ラテックス、ゴムで生産可能であり、それらは単体または組み合わせであってもよい。
【００１６】
ピストン（２）は、注射剤を外側に向けて引きずり出し、かつ密閉性を確保しながら、シリンダー（１）の内部を滑動する。下部には、鋸歯状冠（２１）を有しており、鋸歯状冠（２１）は膜（３３）を押し破ることによって機構を作動させることが可能である。またチャンバーシール（２２）があり、それは針（３１）の内側先端部によってのみ破られて機構の作動をもたらし、かつ注射剤が受入れチャンバー（２３）に進入することを阻止する。ピストン（２）の各端部には、保護円板（２４、２５）がある。下側円板（２４）は注入剤を引きずり出し、シリンダー（１）の底に嵌め込まれ、上側円板（２５）は、シリンダー（１）内でピストン（２）を安定させる。さらに、ピストン（２）は、空のチャンバーの気密性を確保する蓋（２６）を有する。
【００１７】
注射機構（３）は、標準針（３１）、ばね（３２）、および膜（３３）を含む。膜（３３）は、任意に作動される半自動機構に対してはプラスチック材料で作成され、かつ意図せずに作動される自動機構に対しては医薬用ゼラチンまたは水溶性プラスチックで作成される。一旦注入剤が使用されると、作動時間のプログラミングをもたらす。
【図１】
2014500101.tif 000003
【図２】
2014500101.tif 000004
【図３】
2014500101.tif 000005
【図４】
2014500101.tif 000006
【図５】
2014500101.tif 000007
【図６】
2014500101.tif 000008
【国際調査報告】
2014500101.tif 000009
2014500101.tif 000010
2014500101.tif 000011
2014500101.tif 000012
2014500101.tif 000013
2014500101.tif 000014
2014500101.tif 000015
2014500101.tif 000016
2014500101.tif 000017
2014500101.tif 000018